(57)【要約】【課題】引き出し体の荷重がＴ字形レールにかかることにより、Ｔ字形レールを引き起こそうとする力が緩和されＴ字形レールと下地とを堅結する力を軽減でき、更に、複数の戸車を隔設して間隙を設けることにより、引き出し体の自重も利用しながら引き出し体及び、Ｔ字形レールに対する曲げモーメントを大幅に軽減することができる引き出し体の片持ち支持機構を提供することを目的とする。【解決手段】引き出し体であるガーデンデッキ１００の収納部１５にＴ字形レール６を敷設し、Ｔ字形レール６上にガイド戸車７を固定し、ガーデンデッキ１００の下部に、Ｔ字形レール６の上面を走行するスライド戸車８をＴ字形レール６を向けて固定し、ガーデンデッキ１００の下部に、Ｔ字形レール６の両側下面を走行する吊り戸車９をＴ字形レール６を向けて固定し、ガーデンデッキ１００の下部に、ガイド戸車６をガイドするガイドレール１０を取り付ける。【選択図】        図１
2004285820.tif 000002
【特許請求の範囲】
【請求項１】
引き出し体と、
引き出し体の収納部と、
該収納部に敷設されたＴ字形レールと、
該Ｔ字形レール上に固定されたガイド戸車と、
前記引き出し体の下部に前記Ｔ字形レールを向けて固定され、Ｔ字形レールの上面を走行するスライド戸車と、
前記引き出し体の下部に前記Ｔ字形レールを向けて固定され、Ｔ字形レールの頂部両側下面を走行する吊り戸車と、
前記引き出し体の下部に固定され、前記ガイド戸車をガイドするガイドレールとを備えたことを特徴とする引き出し体の片持ち支持機構。
【請求項２】
引き出し体がガーデンデッキであることを特徴とする請求項１に記載の引き出し体の片持ち支持機構。
【請求項３】
ガイド戸車、スライド戸車、吊り戸車のいずれかの戸車の停止手段を備えたことを特徴とする請求項１又は請求項２に記載の引き出し体の片持ち支持機構。
【請求項４】
ガイド戸車、スライド戸車、吊り戸車のいずれかの戸車の停止手段が、Ｔ字形レール上に固定された突片と、引き出し体側に固定された突片とからなる請求項３に記載の引き出し体の片持ち支持機構。
【請求項５】
ガイド戸車、スライド戸車、吊り戸車のいずれかの戸車の停止手段がリミットスイッチからなる請求項３に記載の引き出し体の片持ち支持機構。
【請求項６】
引き出し体を支持する折りたたみ支柱を備えたことを特徴とする請求項１乃至請求項５のいずれかに記載の引き出し体の片持ち支持機構。
【発明の詳細な説明】
【技術分野】
【０００１】
本発明は、建築物等に設置された収納部から引き出して使用する収納可能な引き出し体の片持ち支持機構に関する。例えば、家屋の床下に設置し必要に応じて引き出して使用するガーデンデッキ、家屋の門に設置し必要に応じて引き出して使用する門扉、屋根裏に設置し必要に応じて引き出して使用する収納式庇、また、身障者用収納スロープ、収納式収納庫を兼ねた腰掛と工作台、システムキッチンの収納棚、書庫の収納棚、体育館の収納式屋内ステージ等の片持ち支持機構に使用できる。
【背景技術】
【０００２】
家屋の縁先から庭に張り出して設けられるガーデンデッキは、常設型のガーデンデッキが一般的であって、このものは一旦設置されるとデッキの占有面積を簡単に変更することは不可能である。かかる不具合を解消するために、必要時に床下から引き出して用いる引き出し式のガーデンデッキが提案されている。
【０００３】
【特許文献１】実開昭５７―８８８０１号公報
【特許文献２】実開平６−５６２０３号公報
【発明の開示】
【発明が解決しようとする課題】
【０００４】
例えば特許文献１のものは、家屋の窓先に設けられる張り出しフェンスの両側支持フェンスに中空部を設けてコ字状に形成したスライドフェンスの両翼を出没可能に収納し、フェンスを引き出したときに蛇腹型の伸縮床板を拡張させるものである。しかしながら、このものは、引き出し長さが両側フェンスの長さの範囲であり、また床板が蛇腹構造のため使い勝手が悪く強度的にも保証し得ないものである。
【０００５】
また特許文献２のものは、箱体から成る収納ボックスにキャスタをつけて必要時に床下から引き出し使用するものである。またそのボックス上面に床板を張ることにより引き出し式縁側としても使用できるようにしてある。しかしながらキャスタを用いているため引き出し範囲の地面を硬く整地するか、コンクリート舗装しないと安定性が無く、引き出し式縁側としては使い勝手も悪く、またその範囲は芝や草花を植えることが出来ないという問題がある。
【０００６】
本発明は、必要なときにガーデンデッキを床下から庭先に引出して使用できる収納式ガーデンデッキを提供することを目的とする。また本発明の支持機構はガーデンデッキに限らず重量のある引出し棚を使用する事務用キャビネットまたは食器棚などにも応用が可能である。
【課題を解決するための手段】
【０００７】
このため、本発明に係る引き出し体の片持ち支持機構は、以下の特徴を有する。
（１）引き出し体と、引き出し体の収納部と、該収納部に固定されたＴ字形レールと、該Ｔ字形レール上に固定されたガイド戸車と、前記引き出し体の下部に前記Ｔ字形レールを向いて固定され、Ｔ字形レールの上面を走行するスライド戸車と、前記引き出し体の下部に前記Ｔ字形レールを向いて固定され、Ｔ字形レールの両側下面を走行する吊り戸車と、前記引き出し体の下部に固定され、前記ガイド戸車をガイドするガイドレールとを備えたことを第１の特徴とする。
（２）請求項１に記載の引き出し体の片持ち支持機構において、引き出し体がガーデンデッキであることを第２の特徴とする。
（３）請求項１又は請求項２に記載の引き出し体の片持ち支持機構において、ガイド戸車、スライド戸車、吊り戸車のいずれかの戸車の停止手段を備えたことを第３の特徴とする。
（４）請求項３に記載の引き出し体の片持ち支持機構において、ガイド戸車、スライド戸車、吊り戸車のいずれかの戸車の停止手段が、Ｔ字形レール上に固定された突片と、引き出し体側に固定された突片とからなる第４の特徴とする。
（５）請求項３に記載の引き出し体の片持ち支持機構において、ガイド戸車、スライド戸車、吊り戸車のいずれかの戸車の停止手段がリミットスイッチからなることを第５の特徴とする。
（６）請求項１乃至請求項５のいずれかに記載の引き出し体の片持ち支持機構において、引き出し体を支持する折りたたみ支柱を備えたことを第６の特徴とする。
【０００８】
尚、本発明に係る引き出し体の片持ち支持機構は、上記（１）の構成において、「引き出し体の片持ち支持機構」を「キャビネット内へ収納される収容棚の支持機構」、「Ｔ字形レール」を「キャビネット内床面に敷設したレール」などと読み代えれば事務用キャビネットまたは食器棚などの重量のある引き出し棚への応用も可能である。
【発明の効果】
【０００９】
本発明に係る引き出し体の片持ち支持機構によれば、以下のような優れた効果を有する。
（１）引き出し体の荷重がＴ字形レールにかかることにより、Ｔ字形レールを引き起こそうとする力が緩和され、Ｔ字形レールと下地とを堅結する力を軽減できる。
（２）複数の戸車を隔設して間隙を設けることにより、引き出し体の自重も利用しながら引き出し体及び、Ｔ字形レールに対する曲げモーメントを大幅に軽減できるので、引き出し体のフレームとＴ字形レールの部材を小さくすることができ、軽量化が実現できる。
【００１０】
この効果を、例えば、図２に示すスライド式のガーデンデッキ１００について言えば、ガーデンデッキ１００の荷重がＴ字形レール６にかかることにより、Ｔ字形レール６を引き出し起こそうとする力が緩和され、Ｔ字形レール６と下地の固定部材３６とを堅結する力を軽減できる。更に、複数の戸車（ガイド戸車７、スライド戸車８、吊り戸車９）を隔設して間隙を設けることにより、自重も利用しながらガーデンデッキ１００及び、Ｔ字形レール６に対する曲げモーメントを大幅に軽減することができるので、ガーデンデッキ１００のフレーム２とＴ字形レール６の部材を小さくすることができ、軽量化が実現できるという効果がある。
【００１１】
このガーデンデッキ１００を用いれば、収納時には収納部１５内に隠れてフレーム２の前面１１しか露出せず、庭先を自由に利用することができ、且つ、美観を損なうこともない。引き出し後には、ガーデンデッキ１００が露出しても、ガーデンデッキ１００を片持ち支持するＴ字形レール６、ガイド戸車７、スライド戸車８、吊り戸車９などは床下の収納部１５内に隠れて外部に露出しないため、庭先に草花を植えることも自由である。
【発明を実施するための最良の形態】
【００１２】
以下、本発明を実施するための最良の形態を図面に示す実施例に基づいて説明するが、本発明が本実施例に限定されないことは言うまでもない。図１は、本発明の実施例１のガーデンデッキの片持ち支持機構１を正面側から見た斜視図であり、家屋の床下部への取り付け状態を示す。。図２は、図１を右側から見た一部断面説明図である。図３は、図２の要部拡大図であり、各レール、各戸車の関係を示す。図４、図５、図６は、図３を正面から見た要部説明図であり、図４は、図３のガイド戸車７とＴ字形レール６及びＶ字形レール１０との関係を示し、図５は、図３のスライド戸車８とＴ字形レール６との関係を示し、図６は、図３の吊り戸車９とＴ字形レール６の関係を示す。図７は、図２のガーデンデッキ１００の先端部の要部拡大図である。図８乃至図１１は、本発明に係る引き出し体の片持ち支持機構１の作動原理説明図であり、図８は、ガーデンデッキ１００を収納した際の作動原理を示し、図９は、図８のガーデンデッキ１００を最大限に引出した際の作動原理を示し、図１０は、図９のガイド戸車７と吊り戸車９の２個の戸車を用いた場合の作動原理を示し、図１１は、図９のガイド戸車７をＴ字形レール６上に設置しない場合の作動原理を示す。
【００１３】
図１２は、本発明の第２の実施例であるスライド式の門扉の片持ち支持機構１ａの側面図である。図１３は、図１２の戸車の配置の説明図である。図１４は、図１３の要部拡大図である。図１５乃至図１８は、図１４を正面から見た要部説明図であり、図１５は、図１４のガイド戸車７ａとＴ字形レール６ａ及びＶ字形レール１０ａとの関係を示し、図１６は、図１４のスライド戸車８ａとＴ字形レール６ａとの関係を示し、図１７は、図１４の吊り戸車９ａとＴ字形レール６ａとの関係を示し、図１８は、図１４の上部固定ガイド戸車１８ａとフレーム２ａ上面に設けられた上部固定ガイドレール２１ａとの関係を示す。
【００１４】
図１９は、本発明の第３の実施例であるスライド式の庇の片持ち支持機構１ｂの正面図であり、家屋の屋根裏部への取り付け状態を示す。図２０は、図１９を右側面から見た一部断面説明図である。図２１は、図２０を正面から見た要部拡大図であり、ガイド戸車７ｂと、Ｖ字形レール１０ｂと、フレーム２ｂと、上部固定ガイド戸車１８ｂと、上部固定ガイドレール２１ｂと、庇１００ｂとの関係を示す。図２２は、図２１を左側面から見た説明図であり、ガイド戸車７ｂと上部固定ガイド戸車１８ｂの取り付け態様を示す。図２３は、図２０を背面から見た要部拡大図であり、スライド戸車８ｂとＴ字形レール６ｂとの関係を示す。図２４は、図２３を右側面から見た説明図であり、引き出し用リミットスイッチ１９ｂの取り付け態様を示す。図２５は、図２０を正面から見た要部拡大図であり、吊り戸車９ｂとＴ字形レール６ｂとの関係を示す。図２６は、図２５を右側面から見た説明図であり、収納用リミットスイッチ２２ｂの取り付け態様を示す。
【実施例１】
【００１５】
図１、図２に示すように、本発明の第１の実施例であるガーデンデッキの片持ち支持機構１は、必要時に家屋床下の収納部１５内から引き出して使用するガーデンデッキ１００と、収納部１５の床下地面に埋設されたコンクリート製の固定部材３６に敷設された２本のＴ字形レール６に設けたガイド戸車７と、ガーデンデッキ１００のフレーム２下面に設けたＶ字形レール１０、スライド戸車８、吊り戸車９と、これらの取り付け手段を備えている。引き出し体であるガーデンデッキ１００は、木製または合成樹脂製であり、所定の間隔に配設された平板列の周囲に矩形状のフレーム２が取り付けられている。Ｔ字形レール６の基端部に取り付けられたガイド戸車７がＶ字形レール１０に係合して転動し、スライド戸車８がＴ字形レール６上を転動し、吊り戸車９がＴ字形レール６に係合して転動することによって、ガーデンデッキ１００は、引き出し時及び収納時の円滑なスライド動作が可能となる。また、ガーデンデッキ１００引き出し時には、ガイド戸車７、スライド戸車８、吊り戸車９によって片持ち支持される。ここで、上述のＴ字形レール６の基端部とは、Ｔ字形レール６の家屋外側（すなわち、図２の左側）の端部、また、Ｔ字形レールの終端部とは、Ｔ字形レール６の家屋内側（すなわち、図２の右側）の端部と定義する。ガイド戸車７は、Ｔ字形レール６の基端部近傍に配設され、スライド戸車８は、ガイド戸車７よりも終端部側に離間して配設され、吊り戸車９は、スライド戸車８よりさらに終端部側に離間して配設されている。
【００１６】
このＴ字形レール６は、頂部を平坦面とするＴ字形状のレールであれば良く、本実施例では、Ｈ型鋼を上方がＴ字形、下方が逆Ｔ字形をなすように回転させ、逆Ｔ字形の底部平坦面を、固定部材３６にアンカーボルト１６で固定した。この際、Ｔ字形レール６は、ガーデンデッキ１００のフレーム２の引き出し方向に対応した位置に配設されている。尚、このＨ型鋼の代わりに、頂部を平坦面とし、脚部を平坦面から下方に垂設されたＴ字形鋼を用いても良い。
【００１７】
図３に示すように、ガーデンデッキ１００を片持ち保持する戸車は、３個で構成されている。まず、ガイド戸車７は、図３、図４に示すように、Ｔ字形レール６上の基端部から数１０ｃｍ終端側の位置に、フレーム２の下面に取り付けたＶ字形レール１０に対向して固設される。この際、他の戸車との高さ調整のため、ガイド戸車６が固定される位置のＴ字形レール６の底部平坦面より上方部分は、切削加工されている。このガイド戸車７は、ガイド戸車ハウジング内に中央にＶ字形の溝を有するローラー体３１が設けられ、フレーム２の引き出し方向下面の全域に渡って各張設されるＶ字形レール１０と係合することにより、ガーデンデッキ１００が円滑にスライドされると共に、ガーデンデッキ１００の下方への荷重が支持される。
【００１８】
スライド戸車８は、図３、図５に示すように、スライド戸車ハウジング内にローラー体３２が設けられ、ガーデンデッキ１００の引き出し方向のフレーム２下面に、Ｔ字形レール６に接触可能な位置に各取り付けられており、そして、ガーデンデッキ１００を家屋外側に最大限引き出した際に、前記ガイド戸車７の位置よりも数１０ｃｍほど家屋内側に位置するように配設される。このスライド戸車８が、Ｔ字形レール６上を転動しながら走行することにより、ガーデンデッキ１００が円滑にスライドされると共に、ガーデンデッキ１００の下方への荷重が支持される。
【００１９】
ガーデンデッキ１００を引き出すと、図３に示すように、このスライド戸車８の引き出し方向直前のフレーム２下面に設けられた停止手段のストッパ用突片１３と、前記ガイド戸車７から家屋内側方向へ離間させてＴ字形レール６上に設られた停止手段のストッパ用突片１２とが相互に当接した位置で、スライド戸車８が停止する。ガーデンデッキ１００の引き出し最大長は、この位置で決定される。このように、本実施例１では、ガーデンデッキ１００を引き出した際に最大長で停止させるために、スライド戸車８の停止手段が設けられている。尚、ストッパー用突片１２、１３の位置を移動させることによって、スライド戸車８を適所で停止させることもできるし、また、停止手段は、ガイド戸車７や吊り戸車９に設けてもよい。
【００２０】
吊り戸車９は、図３、図６に示すように、ガーデンデッキ１００の引き出し方向のフレーム２下面に各取り付けられており、Ｔ字形レール６の頂部の平坦面両側の下面を、対向する一対のローラー体３３で把持するようになっている。従って、吊り戸車９は、Ｔ字形レール６の頂部平坦面の下面に係合して転動しながら走行することにより、ガーデンデッキ１００を円滑にスライドさせると共に、ローラー体３３がＴ字形レール６に係合することにより、ガーデンデッキ１００の上方向への荷重を支持する。尚、この実施例１では、Ｔ字形レール６の頂部平坦面両側の下面を把持する一対のローラー体３３を、引き出し方向にも一対設け、合計４個のローラー体３３が吊り戸車ハウジング１４内に設けられている。
【００２１】
折りたたみ支柱３は、図２、図７に示すように、ガーデンデッキ１００の先端部に格納されており、ガーデンデッキ１００を引き出した状態で折りたたみ支柱３を起立させて地面に埋設された折りたたみ支柱受け台４に当接させて、ガーデンデッキ１００を支持する。また、図１、図２に示すように、ガーデンデッキ１００を所定位置で固定するためのロッド５を挿入するロッド挿通孔１７を、家屋の室内床面及びガーデンデッキ１００上面の所定位置に複数個設け、引き出したガーデンデッキ１００が所定位置で動かないように、ロッド５を挿通して保持することができる。
【００２２】
以上のような構成としたので、ガーデンデッキ１００の引き出し当初は、ガイド戸車７とスライド戸車８とにより、ガーデンデッキ１００の荷重が支持される。一定長引き出し後は、ガイド戸車７を支点とする回転モーメントが吊り戸車９に加わり、上方向にＴ字形レール６を引き上げようとするが、吊り戸車９がＴ字形レール６頂部平坦面の両側下面を把持しており、ガーデンデッキ１００の上方向への荷重が支持される。また、ガーデンデッキ１００の下方向への荷重が作用するガイド戸車７とスライド戸車８とが、Ｔ字形レール６を押さえ込むように作用して支持する。従って、このＴ字形レール６に沿って配した３個の戸車が、ガーデンデッキ１００を引き出す際に有効に作用して、ガーデンデッキ１００の荷重を支持しながら円滑にスライドさせることができる。
【００２３】
次に、本発明の実施例１のガーデンデッキの片持ち支持機構１の作動原理を説明する。図８には、ガーデンデッキ１００を最大押し込んだ際（すわわち、ガーデンデッキ１００を完全に収納した際）の各戸車の位置関係が示されている。この状態では、ガーデンデッキ１００の荷重はガイド戸車７とスライド戸車８とで支持され、吊り戸車９にはガーデンデッキ１００の荷重が作用しない。
【００２４】
図９（ａ）は、図８に示したガーデンデッキ１００の片持ち支持機構１において、ガーデンデッキ１００を最大限引き出した際の戸車の位置関係を示し、図９（ｂ）は、ガーデンデッキ１００及びＴ字形レール６にかかる回転モーメントを示している。ガイド戸車７は、Ｔ字形レール６上に配設され、スライド戸車８は、Ｔ字形レール６上を走行する。これにより、図９（ｂ）に示すように、ガーデンデッキ１００の下方向への荷重がＴ字形レール６に作用することにより、Ｔ字形レール６を引き起こそうとする上方向への力が緩和され、Ｔ字形レール６とＴ字形レール６が固定されている下地（床下の固定部材３６）とを堅結する力を軽減できる。更に、各戸車を隔設して、区間Ａ、区間Ｂ、区間Ｃの間隙を設けることにより、自重も利用しながらガーデンデッキ１００に対する曲げモーメント、及び、Ｔ字形レール６に対する曲げモーメントを大幅に軽減できる。すなわち、図９（ｂ）に示すように、ガーデンデッキ１００に対する曲げモーメントと、Ｔ字形レール６に対する曲げモーメントと、Ｔ字形レール６全体を引き起こそうとするモーメントとを軽減できるため、ガーデンデッキ１００のフレーム２やＴ字形レール６の部材を小さくすることができ、軽量化を実現することができる。
【００２５】
図１０（ａ）は、ガイド戸車７と吊り戸車９との２個のみを用い、ガイド戸車７をＴ字形レール６上に配設し、区間ＡをＴ字形レール６基端部から数１０ｃｍ終端部側にとった場合の作動原理を示す。この場合、図１０（ｂ）に示すように、Ｔ字形レール６全体を引き起こそうとする支点が、点Ｄと点Ｅの２点となり、１点にかかる力が２点に分散され緩和される。また、ガイド戸車７をＴ字形レール６上に載せることにより、Ｔ字形レール６を引き起こそうとする力が更に緩和され、Ｔ字形レール６と固定部材３６とを堅結する力が軽減される。しかしながら、点Ｄと点Ｅの２点支持機構であるため、Ｔ字形レール６自体に対する曲げモーメントは、実施例１の３点支持の片持ち支持機構１よりも大きい。
【００２６】
図１１（ａ）は、ガイド戸車７と吊り戸車９との２個のみを用い、且つ、ガイド戸車７をＴ字形レール６上に配設しない場合の作動原理を示す。この場合、図１１（ｂ）に示すように、点Ｄを支点としてＴ字形レール６全体を引き起こそうとする非常に大きい力が働くため、Ｔ字形レール６を固定部材３６に堅結する力を非常に大きくする必要があり、このため、Ｔ字形レール６の下地（固定部材３６）への固定手段やＴ字形レール６自体を非常に堅固にしなくてはならない。
【００２７】
尚、充分な部材が施設可能な空間において、あるいは、堅固な部材を利用できる場合は、図１０や図１１のような片持ち支持機構でも、ガーデンデッキ１００を設置することが可能である。また、さらに大きなステージ等に応用する場合は、スライド戸車８、吊り戸車９を図９（ａ）に示す区間Ｂに必要数増やして設置すればよい。
【００２８】
図８乃至図１１で説明した本発明の作動原理は、以下に説明する実施例２及び実施例３においても基本的に同じであるので、多少の部材追加、取り付け構成変更をすることで、本発明を実現することができる。
【実施例２】
【００２９】
本発明の第２の実施例であるスライド式の門扉の片持ち支持機構１ａは、基本構成は実施例１と同様であり、図１２、図１３に示すように、必要時に、内部に戸車が配設された門柱２６ａを介して収納部１５ａ内から引き出して使用する門扉１００ａと、地面に埋設されたコンクリート製の固定部材３６ａに敷設したＴ字形レール６ａに設けられたガイド戸車７ａと、門扉１００ａのフレーム２ａ下面に設けたＶ字形レール１０ａ、スライド戸車８ａ、吊り戸車９ａと、これらの取り付け手段を備えている。引き出し体である門扉１００ａは、木製または合成樹脂製であり、所定の間隔に配設された平板列の周囲に矩形状のフレーム２ａが取り付けられている。Ｔ字形レール６ａの基端部に取り付けられたガイド戸車７ａがＶ字形レール１０ａに係合して転動し、スライド戸車８ａがＴ字形レール６ａ上を転動し、吊り戸車９ａがＴ字形レール６ａに係合して転動することによって、門扉１００ａは、引き出し時及び収納時の円滑なスライド動作が可能となる。また、門扉１００ａ引き出し時には、ガイド戸車７ａ、スライド戸車８ａ、吊り戸車９ａによって、門扉１００ａが片持ち支持される。ここで、上述のＴ字形レール６ａの基端部とは、前述の固定部材３６ａに敷設されたＴ字形レール６ａの門扉１００ａ引き出し側（すなわち、図１３の左側）の端部、また、Ｔ字形レール６ａの終端部とは、固定部材３６ａに敷設されたＴ字形レール６ａの収納部１５ａ側（すなわち、図２の右側）の端部と定義する。ガイド戸車７ａは、Ｔ字形レール６ａの基端部近傍に配設され、スライド戸車８ａは、ガイド戸車７ａよりも終端部側に離間して配設され、吊り戸車９ａは、スライド戸車８ａよりさらに終端部側に離間して配設されている。
【００３０】
このＴ字形レール６ａは、頂部を平坦面とするＴ字形状のレールであれば良く、本実施例では、Ｈ型鋼を上方がＴ字形、下方が逆Ｔ字形をなすように回転させ、逆Ｔ字形の底部平坦面を、門扉１００ａの収納部１５ａの地面に埋設されたコンクリート製の固定部材３６ａにアンカーボルト１６ａで固定した。この際、Ｔ字形レール６ａは、門扉１００ａの引き出し方向であるフレーム２ａの下面に対応した位置に配設されている。尚、このＨ型鋼の代わりに、頂部を平坦面とし，脚部を平坦面から下方に垂設されたＴ字形鋼を用いても良い。
【００３１】
図１４、図１５に示すように、門扉１００ａを片持ち保持する戸車は、実施例１で示したように、基本的に３個で構成されている。まず、ガイド戸車７ａは、Ｔ字形レール６ａ上の基端部から数１０ｃｍ終端部寄りの位置に、フレーム２ａの下面に取り付けたＶ字形レール１０ａに対向して固設される。この際、他の戸車との高さ調整のため、ガイド戸車６ａが固定される位置のＴ字形レール６ａの中央部より上方部分は、切削加工されている。このガイド戸車７ａは、ガイド戸車ハウジング内に中央にＶ字形の溝を有するローラー体３１ａが設けられており、フレーム２ａの引き出し方向下面の全域に渡って各張設されるＶ字形レール１０ａと係合して、門扉１００ａの円滑なスライドをガイドすると共に、門扉１００ａの下方への荷重を支持する。また、実施例２では、電動駆動モータ２５ａを門扉１００ａ内部に設置し、この電動駆動モータ２５ａの出力軸が一組の笠歯車３０ａによってガイド戸車７ａのローラー軸と連結されている。このローラー軸は、ローラー体３１ａと一体に回動するように形成されている。門柱２６ａに設けられ、電動駆動モーター２５ａと電気的に接続された出入り可動スイッチ２０ａをＯＮにすると、電動駆動モーター２５ａが駆動され回転出力が笠歯車３０ａを介してガイド戸車７ａに伝達され、ガイド戸車７ａが回転する。従って、門扉１００ａも連動して円滑にスライドする。尚、電動区駆動モーター２５ａは、リモコンで駆動制御されてもよい。また、ガイド戸車７ａ以外のスライド戸車８ａ、吊り戸車９ａを電動制御してもよい。
【００３２】
また、実施例２の門扉の片持ち支持機構１ａでは、図１４に示すように、一対の上部固定ガイド戸車１８ａの間に、一対のリミットスイッチが設けられている。左側の上部固定ガイド戸車１８ａの右側適所には、収納用リミットスイッチ２２ａが設けられ、右側の上部固定ガイド戸車１８ａの左側の適所には、引き出し用リミットスイッチ１９ａが設けられている。門扉１００ａを引き出すと、引き出し用リミットイッチ１９ａのセンサー４０ａが、フレーム２ａの上面に設けられたセンサー用突起２７ａに接触して門扉１００ａの停止位置が検出され、電気的に接続された電動駆動モータ２５ａが自動的に停止される。引き出された門扉１００ａを収納すると、収納用リミットスイッチ２２ａのセンサー４１ａがセンサー用突起２７ａに接触して門扉１００ａの停止位置が検出され、電動駆動モータ２５ａが自動的に停止される。
【００３３】
スライド戸車８ａは、図１４、図１６に示すように、スライド戸車ハウジング内にローラー体３２ａを有し、門扉１００ａのフレーム２ａ下面に、Ｔ字形レール６ａに接触可能な位置に取り付けられており、そして、門扉１００ａをＴ字形レール６ａ基端部側に最大限引き出した際に、前記ガイド戸車７ａの位置よりも数１０ｃｍほど終端寄りに位置するように配設される。このスライド戸車８ａが、Ｔ字形レール６ａ上を転動しながら走行することにより、門扉１００ａが円滑にスライドされると共に、門扉１００ａの下方への荷重が支持される。
【００３４】
吊り戸車９ａは、図１４、図１７に示すように、門扉１００ａのフレーム２ａ下面に取り付けられており、Ｔ字形レール６ａの頂部の平坦面両側の下面を、対抗するローラー体３３ａで把持するようになっている。従って、吊り戸車９ａは、Ｔ字形レール６ａの頂部平坦面の下面に係合して転動しながら走行することにより、門扉１００ａを円滑にスライドさせると共に、ローラー体３３ａがＴ字形レール６ａに係合することにより、門扉１００ａの上方向への荷重を支持する。尚、この実施例２では、Ｔ字形レール６ａの頂部平坦面両側の下面を対向して把持する一対のローラー体３３ａを、引き出し方向にも一対設け、合計４個のローラー体３３ａが吊り戸車ハウジング１４ａ内に設けられている。
【００３５】
また、実施例２では、図１４、図１８に示すように、門扉１００ａのフレーム２ａ上面全域に、突条の上部固定ガイドレール２１ａを張設し、この上部固定ガイドレール２１ａと対応する位置に、門柱２６ａの上部内壁に左右一対の上部固定ガイド戸車１８ａを離隔して固設する。この上部固定ガイド戸車１８ａは、上部固定ガイド戸車ハウジング内に中央に凹溝を有するローラー体３５ａを有し、上部固定ガイドレール２１ａと係合して、門扉１００ａの円滑なスライドをガイドする。門扉１００ａは、前述のガーデンデッキ１００と異なり、地面から上空方向に一定の長さを有するので、門扉１００ａ下部側に位置する戸車だけでは、スライド時に倒れてしまう可能性があるので、門扉１００ａ上部にも戸車を設けてスライド時の安定性を保つ必要がある。本実施例２の上部固定ガイド戸車１８ａは、このために設けられたものであり、門扉１００ａをスライドさせる際に、上部固定ガイド戸車１８ａが上部固定ガイドレール２１ａと係合することによって、門扉１００ａのスライドを可倒なく安定にガイドすることができる。
【００３６】
尚、図示しないが、実施例１と同様に、門扉１００ａの先端部近傍に折りたたみ支柱を格納し、門扉１００ａを引き出した状態で折りたたみ支柱を起立させて地面に接地させて、門扉１００ａを支持してもよい。
【００３７】
以上のような構成としたので、門扉１００ａの引き出し当初は、ガイド戸車７ａとスライド戸車８ａとにより、門扉１００ａの荷重が支持される。一定長引き出し後は、ガイド戸車７ａを支点とする回転モーメントが吊り戸車９ａに加わり、上方向にＴ字形レール６ａを引き上げようとするが、吊り戸車９ａがＴ字形レール６ａ頂部平坦面両側の下面を把持して、門扉１００ａの上方向への荷重が支持される。また、門扉１００ａの下方向への荷重が作用するガイド戸車７ａとスライド戸車８ａとが、Ｔ字形レール６ａを押さえ込むように作用して支持する。従って、このＴ字形レール６ａに沿って配した３個の戸車が、門扉１００ａを引き出す際に有効に作用して、門扉１００ａの荷重を支持しながら、安定に且つ円滑にスライドさせることができる。
【実施例３】
【００３８】
本発明の第３の実施例であるスライド式の庇の片持ち支持機構１ｂは、基本構成は実施例１、実施例２と同様であり、図１９、図２０に示すように、必要時に、屋根裏に設けられた収納部１５ｂ内から引き出して使用する庇１００ｂと、屋根裏の梁などの固定部材３６ｂに敷設されたＴ字形レール６ｂに設けられたガイド戸車７ｂと、庇１００ｂに連結されたフレーム２ｂの下面に設けられたＶ字形レール１０ｂ、スライド戸車８ｂ、吊り戸車９ｂと、これらの取り付け手段を備えている。引き出し体である庇１００ｂは、木製または合成樹脂製であり、屋根と同形状に中央部を頂部として両側に下方へ向かう傾斜面が形成された突き出し部分屋根２３ｂの前面に、収納時に庇１００ｂの出入り口の蓋としての平板のパネルが取り付けられている。庇１００ｂの引き出し方向の両端はフレーム２ｂに連結されており、庇１００ｂは、このフレーム２ｂと共にスライド可能となっている。また、図示しないが、庇１００ｂは、収納部１５ｂへの雨水等が浸入するのを防止するために、収納部１５ｂから家屋外側に向かって下方に傾斜しており、この傾斜角度を保持したままＴ字形レール６ｂに平行にスライドすることができる。
【００３９】
庇１００ｂは、Ｔ字形レール６ｂの基端部に取り付けられたガイド戸車７ｂが、Ｖ字形レール１０ｂに係合して転動し、スライド戸車８ｂがＴ字形レール６ｂ上を転動し、吊り戸車９ｂがＴ字形レール６ｂに係合して転動することによって、引き出し時及び収納時の円滑なスライド動作が可能となる。また、庇１００ｂ引き出し時には、ガイド戸車７ｂ、スライド戸車８ｂ、吊り戸車９ｂによって片持ち支持される。ここで、上述のＴ字形レール６ｂの基端部とは、前述の固定部材３６ｂに敷設されたＴ字形レール６ｂの庇１００ｂ引き出し側（すなわち、図２０の左側）の端部、また、Ｔ字形レール６ｂの終端部とは、固定部材３６ｂに敷設されたＴ字形レール６ｂの、収納部１５ｂ側（すなわち、図２０の右側）の端部と定義する。ガイド戸車７ｂは、Ｔ字形レール６ｂの基端部近傍に配設され、スライド戸車８ｂは、ガイド戸車７ｂよりも終端部側に離間して配設され、吊り戸車９ｂは、スライド戸車８ｂよりさらに終端部側に離間して配設されている。
【００４０】
図２１に示すように、Ｔ字形レール６ｂは、頂部を平坦面とするＴ字形状のレールであれば良く、本実施例では、Ｈ型鋼を上方がＴ字形、下方が逆Ｔ字形をなすように回転させ、逆Ｔ字形の底部平坦面を、庇１００ｂの収納部１５ｂの固定部材３６ｂにアンカーボルト１６ｂで固定した。この際、Ｔ字形レール６ｂは、庇１００ｂの引き出し方向であるフレーム２ｂの下面に対応した位置に配設されている。尚、このＨ型鋼の代わりに、頂部を平坦面とし脚部を平坦面から下方に垂設されたＴ字形鋼を用いても良い。
【００４１】
実施例３では、フレーム２ｂを引き出し体下面に取り付けずに、引き出し体の庇１００ｂの引き出し方向の両側に連結する。図２１に示すように、まず、屋根裏の固定部材３６ｂに固定支柱２４ｂを立設して取り付ける。固定支柱２４ｂの側面は屋根裏の他の固定部材にもネジ止めされている。Ｔ字形レール６ｂは、この固定支柱２４ｂの下部の固定部材３６ｂにアンカーボルト６ｂで固設される。ガイド戸車７ｂは、Ｔ字形レール６ｂ上の基端部から数１０ｃｍ終端部寄りの位置にＴ字形レール６ｂ上にネジ止めで固設される。このガイド戸車７ｂは、ガイド戸車ハウジング内に中央にＶ字形の溝が形成されたローラー体３１ｂを有し、このＶ字形溝に係合するＶ字形レール１０ｂを下面に張設されたフレーム２ｂを、ローラー体３１ｂ上にＶ字形溝に係合させて載置する。このフレーム２ｂはＣ字形鋼で形成され、下部には庇１００ｂを連結する庇連結具２８ｂがネジ止めされている。また、フレーム２ｂの頂部には、突条の上部固定ガイドレール２１ｂが設けられている。
【００４２】
また、図２１、図２２に示すように、上部固定ガイド戸車１８ｂが、上部固定ガイドレール２１ｂに対向して、固定支柱２４ｂの上部にネジ止めで取り付けられている。この上部固定ガイド戸車１８ｂは、上部固定ガイド戸車ハウジング内に中央にＶ字形の溝が形成されたローラー体３５ｂを有し、このＶ字形溝と上部固定ガイドレール２１ｂが係合する。ガイド戸車７ｂは、実施例１及び実施例２と同様に、引き出し体の庇１００ｂを円滑にスライドさせ、且つ、庇１００ｂを引き出した際に、フレーム２ｂを介して作用する庇１００ｂの下方向の荷重を片持ち支持することができる。上部固定ガイド戸車１８ｂは、上部固定ガイドレール２１ｂに係合することで、実施例２の上部ガイド戸車１８ａと同様に、フレーム２ｂが倒れないように安定に保持する。また、実施例３では、実施例２と同様に、電動駆動モータ２５ｂを庇１００ｂ内部に設置し、この電動駆動モータ２５ｂの出力軸が一組の笠歯車３０ｂによってガイド歯車７ｂのローラー軸と連結されている。このローラー軸は、ローラー体３１ｂと一体に回動するように形成されている。家屋の適所に設けられ、電動駆動モーター２５ｂと電気的に接続された出入り可動スイッチ２０ｂをＯＮにすると、電動駆動モーター２５ｂが駆動され回転出力が笠歯車３０ｂを介してガイド戸車７ｂに伝達され、ガイド戸車７ｂが回転する。従って、庇１００ｂも連動して円滑にスライドする。尚、電動区駆動モーター２５ｂは、リモコンで駆動制御されてもよい。また、ガイド戸車７ｂ以外のスライド戸車８ｂ、吊り戸車９ｂを電動制御してもよい。
【００４３】
スライド戸車８ｂは、図２３、図２４に示すように、庇１００ｂの引き出し方向のフレーム２ｂ下面に取り付けられており、そして庇１００ｂをＴ字形レール６ｂ基端部側に最大限引き出した際に、前記ガイド戸車７ｂの位置よりも数１０ｃｍほど終端寄りに位置するように配設される。このスライド戸車８ｂが、Ｔ字形レール６ｂ上を転動しながら走行することにより、庇１００ｂが円滑にスライドされると共に、フレーム２ｂを介して庇１００ｂの下方への荷重が支持される。
【００４４】
また、実施例３の庇の片持ち支持機構１ｂでは、図２３に示すように、スライド戸車８ｂの右側の適所に、引き出し用リミットスイッチ１９ｂが設けられている。庇１００ｂを引き出すと、スライド戸車８ｂがセンサー４０ｂに接触して庇１００ｂの停止位置が検出され、電気的に接続された電動駆動モータ２５ｂが自動的に停止される。
【００４５】
吊り戸車９ｂは、図２５、図２６に示すように、庇１００ｂの引き出し方向のフレーム２ｂ下面にネジ止めで取り付けられており、Ｔ字形レール６ｂの頂部の平坦面両側の下面を対向する一対のローラー体３３ｂで把持するようになっている。従って、吊り戸車９ｂは、Ｔ字形レール６ｂの頂部平坦面の下面に係合して転動しながら走行し、フレーム２ｂに連動して庇１００ｂを円滑にスライドさせると共に、庇１００ｂの上方向への荷重を支持する。尚、この実施例３では、Ｔ字形レール６ｂの頂部平坦面両側の下面を対向して把持する一対のローラー体３３ｂを、引き出し方向にも一対設け、合計４個のローラー体３３ｂが吊り戸車ハウジング１４ｂ内に設けられている。
【００４６】
また、図２６に示すように、吊り戸車９ｂの右側の適所に、収納用リミットスイッチ２２ｂが設けられている。引き出された庇１００ｂを収納すると、吊り戸車９ｂがセンサー４１ｂに接触して庇１００ｂの停止位置が検出され、電動駆動モータ２５ｂが自動的に停止される。
【００４７】
尚、図示しないが、庇１００ｂの先端部近傍に折りたたみ支柱を格納し、庇１００ｂを引き出した状態で折りたたみ支柱を起立させて地面に接地させて、庇１００ｂを支持してもよい。また、庇１００ｂは高所に設置される場合が多いので、庇１００ｂの先端部に支柱挿入孔を設け、庇１００ｂを引き出した際に、この支柱挿入孔に支柱の一端をを挿入し、他端を地面に接触させて庇１００ｂを支持してもよい。また、フレーム２ｂと庇１００ｂとを連結する庇連結具２８ｂは、庇１００ｂの傾斜面に沿って、収納部１５ｂから家屋外側に向かって下方に傾斜しており、突き出し部分屋根２３ｂの傾斜面から流れ落ちた雨水などの排水手段としても利用できる。
【００４８】
以上のような構成としたので、庇１００ｂの引き出し当初は、ガイド戸車７ｂとスライド戸車８ｂとにより、フレーム２ｂを介して庇１００ｂの荷重が支持される。庇１００ｂを一定長引き出した後は、ガイド戸車７ｂを支点とする回転モーメントが吊り戸車９ｂに加わり、上方向にＴ字形レール６ｂを引き上げようとするが、吊り戸車９ｂがＴ字形レール６ｂ頂部平坦面両側の下面を把持して、フレーム２ｂを介して庇１００ｂの上方向への荷重が支持される。また、庇１００ｂの下方向への荷重が作用するガイド戸車７ｂとスライド戸車８ｂとが、Ｔ字形レール６ｂを押さえ込むように作用して支持する。従って、このＴ字形レール６ｂに沿って配した３個の戸車が、庇１００ｂを引き出す際に有効に作用して、庇１００ｂの荷重を支持しながら円滑にスライドさせることができる。
【産業上の利用可能性】
【００４９】
本発明の構成は、かかる収納型の、スライド式のガーデンデッキ、スライド式の門扉、スライド式の庇に限らず、重量物を収納する事務用キャビネットの引き出し棚、システムキチンの食器収容棚、ステージ用の大型デッキにも応用が可能であり、多方面に使用ができる有益な効果をもたらす。
【図面の簡単な説明】
【００５０】
【図１】本発明の実施例１のガーデンデッキの片持ち支持機構を正面側から見た斜視図である。
【図２】図１を右側から見た一部断面説明図である。
【図３】図２の要部拡大図である。
【図４】図３を正面から見た要部説明図である。
【図５】図３を正面から見た要部説明図である。
【図６】図３を正面から見た要部説明図である。
【図７】図２のガーデンデッキ１００の先端部の要部拡大図である。
【図８】本発明の作動原理説明図である。
【図９】本発明の作動原理説明図である。
【図１０】本発明の作動原理説明図である。
【図１１】本発明の作動原理説明図である。
【図１２】本発明の実施例２の門扉の片持ち支持機構の側面図である。
【図１３】図１２の戸車の配置説明図である。
【図１４】図１３の要部拡大図である。
【図１５】図１４を正面から見た要部説明図である。
【図１６】図１４を正面から見た要部説明図である。
【図１７】図１４を正面から見た要部説明図である。
【図１８】図１４を正面から見た要部説明図である。
【図１９】本発明の実施例３の庇の片持ち支持機構の正面図である。
【図２０】図１９を右側面から見た一部断面説明図である。
【図２１】図２０を正面から見た要部拡大図である。
【図２２】図２１を左側面から見た説明図である。
【図２３】図２０を背面から見た要部拡大図である。
【図２４】図２３を右側面から見た説明図である。
【図２５】図２０を正面から見た要部拡大図である。
【図２６】図２５を右側面から見た説明図である。
【符号の説明】
【００５１】
１                  ガーデンデッキの片持ち支持機構
１ａ                門扉の片持ち支持機構
１ｂ                庇の片持ち支持機構
２、２ａ、２ｂ      フレーム
３                  折りたたみ支柱
４                  折りたたみ支柱受け台
５                  ストッパ用のロッド
６、６ａ、６ｂ      Ｔ字形レール
７、７ａ、７ｂ      ガイド戸車
８、８ａ、８ｂ      スライド戸車
９、９ａ、９ｂ      吊り戸車
１０、１０ａ、１０ｂ  Ｖ字形レール
１１                  フレーム前面
１２、１３            ストッパ用突片
１４、１４ａ、１４ｂ  吊り戸車ハウジング
１５、１５ａ、１５ｂ  収納部
１６、１６ａ、１６ｂ  アンカーボルト
１７                  ロッド挿通孔
１８ａ、１８ｂ        上部固定ガイド戸車
１９ａ、１９ｂ        引き出し用リミットスイッチ
２０ａ、２０ｂ        出入り可動スイッチ
２１ａ、２１ｂ        上部固定ガイドレール
２２ａ、２２ｂ        収納用リミットスイッチ
２３ｂ                突き出し部分屋根
２４ｂ                固定支柱
２５ａ、２５ｂ        電動駆動モーター
２６ａ                門柱
２７ａ、２７ｂ        センサー用突起
２８ｂ                庇連結具
３０ａ、３０ｂ        笠歯車
３１、３１ａ、３１ｂ  ローラー体
３２、３２ａ、３２ｂ  ローラー体
３３、３３ａ、３３ｂ  ローラー体
３５ａ、３５ｂ        ローラー体
３６、３６ａ、３６ｂ  固定部材
４０ａ、４０ｂ        センサー
４１ａ、４１ｂ        センサー
１００                  ガーデンデッキ
１００ａ                門扉
１００ｂ                庇
【図１】
2004285820.tif 000003
【図２】
2004285820.tif 000004
【図３】
2004285820.tif 000005
【図４】
2004285820.tif 000006
【図５】
2004285820.tif 000007
【図６】
2004285820.tif 000008
【図７】
2004285820.tif 000009
【図８】
2004285820.tif 000010
【図９】
2004285820.tif 000011
【図１０】
2004285820.tif 000012
【図１１】
2004285820.tif 000013
【図１２】
2004285820.tif 000014
【図１３】
2004285820.tif 000015
【図１４】
2004285820.tif 000016
【図１５】
2004285820.tif 000017
【図１６】
2004285820.tif 000018
【図１７】
2004285820.tif 000019
【図１８】
2004285820.tif 000020
【図１９】
2004285820.tif 000021
【図２０】
2004285820.tif 000022
【図２１】
2004285820.tif 000023
【図２２】
2004285820.tif 000024
【図２３】
2004285820.tif 000025
【図２４】
2004285820.tif 000026
【図２５】
2004285820.tif 000027
【図２６】
2004285820.tif 000028